(57)【要約】【課題】ビデオサーバ間で映像素材を確実に伝送できるようにする。【解決手段】送信側ビデオサーバ１のＣＰＵ１１は、送信データ作成部１５により映像素材の任意の位置（例えば、先頭、真ん中、最後のフレーム）の画像データを抽出し、その画像データの位置情報と抽出された画像データとを映像素材に付加して送信データとして受信側ビデオサーバ２に送信する。受信側ビデオサーバ２は、受け取った送信データから映像素材と上記付加された画像データと位置情報とを取得して、映像素材のうち位置情報が表すフレーム位置の画像データと取得された画像データとを比較して一致すれば、改ざんやビット抜け等もなく送信されたと判断する。【選択図】      図１
2008199396.tif 000002
【特許請求の範囲】
【請求項１】
複数のフレームからなる映像素材が収録される第１のビデオサーバと、前記第１のビデオサーバと伝送路を介して接続される第２のビデオサーバとを具備する素材伝送システムであって、
前記第１のビデオサーバは、
前記収録された映像素材を前記第２のビデオサーバに送信する送信指示を受け付ける受付手段と、
前記収録された映像素材から前記送信指示された映像素材を読み出し、読み出された映像素材の任意のフレーム位置の画像データを抽出する抽出手段と、
前記抽出された画像データとその画像データのフレーム位置を表す位置情報とを前記読み出された映像素材に付加して送信データを作成する作成手段と、
前記作成された送信データを前記伝送路を介して前記第２のビデオサーバに送信する送信手段と
を具備し、
前記第２のビデオサーバは、
前記伝送路を介して到来する送信データを受信する受信手段と、
前記受信された送信データから前記映像素材、前記映像素材に付加された画像データ及び位置情報をそれぞれ取得する取得手段と、
前記取得された映像素材のうち前記取得された位置情報が表すフレーム位置の画像データと前記取得された画像データとを比較する比較手段と、
前記比較手段による比較結果を出力する出力手段と
を具備することを特徴とする素材伝送システム。
【請求項２】
複数のフレームからなる映像素材が収録され、受信側ビデオサーバと伝送路を介して接続されるビデオサーバであって、
前記収録された映像素材を前記受信側ビデオサーバに送信する送信指示を受け付ける受付手段と、
前記収録された映像素材から前記送信指示された映像素材を読み出し、読み出された映像素材の任意のフレーム位置の画像データを抽出する抽出手段と、
前記抽出された画像データとその画像データのフレーム位置を表す位置情報とを前記読み出された映像素材に付加して送信データを作成する作成手段と、
前記作成された送信データを前記伝送路を介して前記受信側ビデオサーバに送信する送信手段と
を具備することを特徴とするビデオサーバ。
【請求項３】
複数のフレームからなる映像素材が収録され、前記収録された映像素材から送信指示された映像素材を読み出し、読み出された映像素材の任意のフレーム位置の画像データを抽出し、前記抽出された画像データとその画像データのフレーム位置を表す位置情報とを前記読み出された映像素材に付加して送信データを作成し、前記作成された送信データを前記伝送路を介して送信する送信側ビデオサーバと伝送路を介して接続されるビデオサーバであって、
前記伝送路を介して到来する送信データを受信する受信手段と、
前記受信された送信データから前記映像素材、前記映像素材に付加された画像データ及び位置情報をそれぞれ取得する取得手段と、
前記取得された映像素材のうち前記取得された位置情報が表すフレーム位置の画像データと前記取得された画像データとを比較する比較手段と、
前記比較手段による比較結果を出力する出力手段と
を具備することを特徴とするビデオサーバ。
【請求項４】
複数のフレームからなる映像素材が収録される第１のビデオサーバと、前記第１のビデオサーバと伝送路を介して接続される第２のビデオサーバとを具備する素材伝送システムに用いられ、
前記第１のビデオサーバは、
前記収録された映像素材を前記第２のビデオサーバに送信する送信指示を受け付け、
前記収録された映像素材から前記送信指示された映像素材を読み出し、読み出された映像素材の任意のフレーム位置の画像データを抽出し、
前記抽出された画像データとその画像データのフレーム位置を表す位置情報とを前記読み出された映像素材に付加して送信データを作成し、
前記作成された送信データを前記伝送路を介して前記第２のビデオサーバに送信し、
前記第２のビデオサーバは、
前記伝送路を介して到来する送信データを受信する受信し、
前記受信された送信データから前記映像素材、前記映像素材に付加された画像データ及び位置情報をそれぞれ取得し、
前記取得された映像素材のうち前記取得された位置情報が表すフレーム位置の画像データと前記取得された画像データとを比較し、
前記比較による比較結果を出力することを特徴とする素材伝送方法。
【発明の詳細な説明】
【技術分野】
【０００１】
この発明は、ビデオサーバ間で映像素材の伝送を行う素材伝送システムに関する。
【背景技術】
【０００２】
ビデオサーバ間でファイル化された映像素材を伝送する場合に、送信したデータが改ざんやビット抜け等なく確実に受信されたかどうかをチェックする手段が乏しかった。このため、例えば、操作者が受信された映像素材を再生して目視で確認しなければならず、時間と労力を要していた。
【０００３】
なお、素材の管理情報と素材に記録されたクレジット画像の文字情報とを比較することにより、素材が正しく収録されたか否かを確認する手法が提案されている（例えば特許文献１を参照。）。また、素材に確認コードを埋め込んでおき、この確認コードにより送出された素材の正誤をチェックする手法が提案されている（例えば特許文献２を参照。）。
【特許文献１】特開２００５−１０９５４８公報
【特許文献２】特開２００５−１５９９３３公報
【発明の開示】
【発明が解決しようとする課題】
【０００４】
上述の従来技術では、送出した素材自体が正しいか否かを確認することはできるが、伝送中に素材の内容が改ざんされたりビット抜け等が生じた場合に、これらを検知することができない。
【０００５】
この発明は上記事情に着目してなされたもので、その目的とするところは、ビデオサーバ間で映像素材を確実に伝送することができる素材伝送システムを提供することにある。
【課題を解決するための手段】
【０００６】
上記目的を達成するためにこの発明に係る素材伝送システムは、複数のフレームからなる映像素材が収録される第１のビデオサーバと、前記第１のビデオサーバと伝送路を介して接続される第２のビデオサーバとを具備する素材伝送システムであって、前記第１のビデオサーバは、前記収録された映像素材を前記第２のビデオサーバに送信する送信指示を受け付ける受付手段と、前記収録された映像素材から前記送信指示された映像素材を読み出し、読み出された映像素材の任意のフレーム位置の画像データを抽出する抽出手段と、前記抽出された画像データとその画像データのフレーム位置を表す位置情報とを前記読み出された映像素材に付加して送信データを作成する作成手段と、前記作成された送信データを前記伝送路を介して前記第２のビデオサーバに送信する送信手段とを具備し、前記第２のビデオサーバは、前記伝送路を介して到来する送信データを受信する受信手段と、前記受信された送信データから前記映像素材、前記映像素材に付加された画像データ及び位置情報をそれぞれ取得する取得手段と、前記取得された映像素材のうち前記取得された位置情報が表すフレーム位置の画像データと前記取得された画像データとを比較する比較手段と、前記比較手段による比較結果を出力する出力手段とを具備することを特徴とする。
【０００７】
この発明に係るビデオサーバは、複数のフレームからなる映像素材が収録され、受信側ビデオサーバと伝送路を介して接続されるビデオサーバであって、前記収録された映像素材を前記受信側ビデオサーバに送信する送信指示を受け付ける受付手段と、前記収録された映像素材から前記送信指示された映像素材を読み出し、読み出された映像素材の任意のフレーム位置の画像データを抽出する抽出手段と、前記抽出された画像データとその画像データのフレーム位置を表す位置情報とを前記読み出された映像素材に付加して送信データを作成する作成手段と、前記作成された送信データを前記伝送路を介して前記受信側ビデオサーバに送信する送信手段とを具備することを特徴とする。
【０００８】
また、この発明に係る第１のビデオサーバは、複数のフレームからなる映像素材が収録され、前記収録された映像素材から送信指示された映像素材を読み出し、読み出された映像素材の任意のフレーム位置の画像データを抽出し、前記抽出された画像データとその画像データのフレーム位置を表す位置情報とを前記読み出された映像素材に付加して送信データを作成し、前記作成された送信データを前記伝送路を介して送信する送信側ビデオサーバと伝送路を介して接続されるビデオサーバであって、前記伝送路を介して到来する送信データを受信する受信手段と、前記受信された送信データから前記映像素材、前記映像素材に付加された画像データ及び位置情報をそれぞれ取得する取得手段と、前記取得された映像素材のうち前記取得された位置情報が表すフレーム位置の画像データと前記取得された画像データとを比較する比較手段と、前記比較手段による比較結果を出力する出力手段とを具備することを特徴とする。
【０００９】
また、この発明に係る素材伝送方法は、複数のフレームからなる映像素材が収録される第１のビデオサーバと、前記第１のビデオサーバと伝送路を介して接続される第２のビデオサーバとを具備する素材伝送システムに用いられ、前記第１のビデオサーバは、前記収録された映像素材を前記第２のビデオサーバに送信する送信指示を受け付け、前記収録された映像素材から前記送信指示された映像素材を読み出し、読み出された映像素材の任意のフレーム位置の画像データを抽出し、前記抽出された画像データとその画像データのフレーム位置を表す位置情報とを前記読み出された映像素材に付加して送信データを作成し、前記作成された送信データを前記伝送路を介して前記第２のビデオサーバに送信し、前記第２のビデオサーバは、前記伝送路を介して到来する送信データを受信する受信し、前記受信された送信データから前記映像素材、前記映像素材に付加された画像データ及び位置情報をそれぞれ取得し、前記取得された映像素材のうち前記取得された位置情報が表すフレーム位置の画像データと前記取得された画像データとを比較し、前記比較による比較結果を出力することを特徴とする。
【００１０】
上記構成では、第１のビデオサーバは映像素材の任意の位置（例えば、先頭、真ん中、最後のフレーム）の画像データを抽出し、その画像データの位置情報と抽出された画像データとを映像素材に付加して送信データとして受信側ビデオサーバに送信する。受信側ビデオサーバは、受け取った送信データから映像素材、画像データ及び位置情報を取得し、取得された位置情報に対応する映像素材の画像データと取得された画像データとを比較する。この比較において画像データ同士が一致すれば、改ざんやビット抜け等もなく素材が正しく伝送されたと判断することができる。
【発明の効果】
【００１１】
したがってこの発明によれば、ビデオサーバ間で映像素材を確実に伝送することができる素材伝送システムを提供することができる。
【発明を実施するための最良の形態】
【００１２】
以下、図面を参照しながら本発明の実施の形態を詳細に説明する。  
図１は、この発明に係る素材伝送システムの一実施形態を示す機能ブロック図である。  
このシステムは、送信側ビデオサーバ１と受信側ビデオサーバ２とを備え、この２つのビデオサーバ間が伝送路で接続されている。伝送路には専用回線や局内ＬＡＮ（Local Area Network）等が用いられる。
【００１３】
送信側ビデオサーバ１は、ＣＰＵ１１と、素材メモリ１２と、素材収録部１３と、通信インタフェース（通信Ｉ／Ｆ）１４と、送信データ作成部１５と、入力部１６とを備える。素材メモリ１２には、素材収録部１３により収録された複数フレームからなる映像素材が記録される。入力部１６は、キーボードやマウス等の入力装置であり、上記収録された映像素材を受信側ビデオサーバ２に送信する送信指示を受け付ける。送信データ作成部１５は、上記入力部１６において受け付けた送信指示にしたがって映像素材をもとに送信データを作成する。ＣＰＵ１１は、作成された送信データを通信Ｉ／Ｆ１４により伝送路を介して受信側ビデオサーバ２に送信する。
【００１４】
一方、受信側ビデオサーバ２は、ＣＰＵ２１と、素材メモリ２２と、素材収録部２３と、通信Ｉ／Ｆ２４と、受信素材確認部２５とを備える。ＣＰＵ２１は、通信Ｉ／Ｆ２４において伝送路を介して到来する送信データを受信すると、受信素材確認部２５により送信データに含まれる映像素材が正しく受信できたか否かを判定する。受信素材確認部２５において映像素材が正しく受信できたと判定された場合には、ＣＰＵ２１は素材メモリ２２に当該映像素材を収録する。
【００１５】
次に、このように構成された素材伝送システムの動作について説明する。図２は、送信側ビデオサーバ１の動作の手順とその内容を示すフローチャートである。図３は、受信側ビデオサーバ２の動作の手順とその内容を示すフローチャートである。図４は、ビデオサーバ間における素材伝送動作を説明する図である。
【００１６】
図２において、送信側ビデオサーバ１は映像素材の送信指示を受け付ける（ステップＳ２１）。ＣＰＵ１１は、素材メモリ１２から送信指示で指定される映像素材を読み出す（ステップＳ２２）。読み出された映像素材から任意のフレーム位置の画像データを抽出する（ステップＳ２３）。例えば、図４に示すように、先頭、真ん中、最後のフレーム位置の画像データをそれぞれ抽出し、各画像データのフレーム番号を位置情報として用いる。この抽出した画像データと位置情報とを上記読み出した映像素材にメタデータの一部として付加して送信データを作成する（ステップＳ２４）。このように作成された送信データをＣＰＵ１１は通信Ｉ／Ｆ１４により伝送路を介して受信側ビデオサーバ２に送信する（ステップＳ２５）。
【００１７】
図３において、受信側ビデオサーバ２は、伝送路を介して到来する送信データを通信Ｉ／Ｆ２４により受信する（ステップＳ３１）。ＣＰＵ２１は、受信素材確認部２５により送信データから映像素材、付加された画像データと位置情報とをそれぞれ取得する（ステップＳ３２）。そして、受信素材確認部２５は、上記取得された映像素材のうち位置情報が表すフレーム位置の画像データと上記取得された画像データとを比較する（ステップＳ３３）。この比較において画像データ同士が一致する場合には、改ざんやビット抜け等もなく素材が正しく伝送されたと判断し、一致しない場合には、素材の伝送が不完全なものと判断する。ＣＰＵ１１は、この比較結果を受信ステータスとして送信側ビデオサーバ１に送信する（ステップＳ３４）。
【００１８】
以上述べたように、上記実施形態では、信側ビデオサーバ１のＣＰＵ１１は、送信データ作成部１５により映像素材の任意の位置（例えば、先頭、真ん中、最後のフレーム）の画像データを抽出し、その画像データの位置情報と抽出された画像データとを映像素材に付加して送信データとして受信側ビデオサーバ２に送信する。受信側ビデオサーバ２は、受け取った送信データから映像素材と上記付加された画像データと位置情報とを取得して、映像素材のうち位置情報が表すフレーム位置の画像データと取得された画像データとを比較して一致すれば、改ざんやビット抜け等もなく送信されたと判断する。
【００１９】
したがって上記実施形態によれば、伝送中に素材の内容が改ざんされたり、ビット抜け等が生じた場合にも自動的に検知することが可能となり、ビデオサーバ間で映像素材を確実に伝送することが可能となる。
【００２０】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２１】
【図１】この発明に係る素材伝送システムの一実施形態を示す機能ブロック図。
【図２】送信側ビデオサーバの動作の手順とその内容を示すフローチャート。
【図３】受信側ビデオサーバの動作の手順とその内容を示すフローチャート。
【図４】ビデオサーバ間における素材伝送動作を説明する図。
【符号の説明】
【００２２】
１…送信側ビデオサーバ、１１…ＣＰＵ、１２…素材メモリ、１３…素材収録部、１４…通信インタフェース、１５…送信データ作成部、１６…入力部、２…受信側ビデオサーバ、２１…ＣＰＵ、２２…素材メモリ、２３…素材収録部、２４…通信インタフェース、２５…受信素材確認部。
【図１】
2008199396.tif 000003
【図２】
2008199396.tif 000004
【図３】
2008199396.tif 000005
【図４】
2008199396.tif 000006